【手続補正書】
【提出日】平成19年6月7日(2007.6.7)
【手続補正１】
【補正対象書類名】明細書
【補正対象項目名】特許請求の範囲
【補正方法】変更
【補正の内容】
【特許請求の範囲】
【請求項１】  多数のボタンを有するキーパッドでの任意の言語の字母入力方法において、
前記キーパッド上の各ボタンは、格子に分けられ、
各ボタン上の格子の配列は、前記キーパッドのボタンの配列に対応し、
前記ボタンのうちの任意の一つのボタンの格子の中でそのボタン（任意の一つのボタン）に対応する格子は、そのボタンでの基準格子（第１格子）と定義され、
前記言語の字母は所定のグループにグループ化され、各グループは各ボタンに割り当てられ、各ボタンに割り当てられた字母グループは各ボタン上の格子に配置され、
前記基準格子と同一か基準格子と異なるターゲット格子（第２格子）に位置したターゲット字母の認識方法は、
（ａ）連続して入力される第１ボタンと第２ボタンの選択を感知する段階と、
（ｂ）前記第１ボタンと前記第２ボタンの位置関係に基づいて前記第１ボタンのターゲット格子（第２格子）に配置されているターゲット字母が認識される段階と、からなることを特徴とするキーパッドでの字母（alphabet：アルファベット）入力方法。
【請求項２】  前記第１ボタン上にある基準格子（第１格子）に対する前記ターゲット格子（第２格子）の位置関係は、前記第１ボタンに対する前記第２ボタンの位置関係と同じであることことを特徴とする請求項１記載のキーパッドでの字母入力方法。
【請求項３】  前記キーパッドの各ボタンには、使用可能な格子のうち基準格子を含む一部の格子が備えられることを特徴とする請求項２記載のキーパッドでの字母入力方法。
【請求項４】  前記各ボタンには、“基準格子に近い順序”または“ボタン組み合わせの便利度順”に一部の格子が備えられることを特徴とする請求項３記載のキーパッドでの字母入力方法。
【請求項５】  基準格子を含めて“左右直線組み合わせ”により各ボタンに割り当てられた字母が認識されることを特徴とする請求項４記載のキーパッドでの字母入力方法。
【請求項６】  前記“基準格子”または“基準格子に配置される基準字母”は、他の格子または他の字母と区分して表示されることを特徴とする請求項３記載の字母入力方法。
【請求項７】  前記任意の言語は日本語であり、
日本語５０音度の各行の文字がそれぞれ同じグループに属し、１０つのグループにグループ化されて各ボタンに割り当てられることを特徴とする請求項１〜６のいずれかに記載のキーパッドでの字母入力方法。
【請求項８】  前記任意の言語は日本語であり、
日本語５０音度のや行の３文字（や、ゆ、よ）とわ行の２文字（わ、を）が一つのグループに属し、残りの各行の文字がそれぞれ同じグループに属して、９つのグループにグループ化されて各ボタンに割り当てられることを特徴とする請求項１〜６のいずれかに記載のキーパッドでの字母入力方法。
【請求項９】  多数のボタンを有するキーパッドでの任意の言語の字母入力方法において、
前記任意の言語の字母は、代表字母（または基本字母）と前記代表字母に関連した後続字母（または変形字母）とに分けられ、代表字母を含む一つ以上の字母を一つのグループにし、所定のグループに分けられ、
前記各字母グループが各ボタンにそれぞれ割り当てられ、各グループに属した字母のうち代表字母の一つまたは一つ以上の字母が前記割り当て済みのボタンに配置され、
代表字母に関連した後続字母を入力するための一つ以上のコントロールがキーパッド上の一つまたは一つ以上のボタンに割り当てられ、前記コントロールが前記割り当て済みのボタンに明示的または黙示的に配置され、
前記字母認識方法は、
（ａ）代表字母が割り当てられた第１ボタンの１回押しまたは組み合わせ押しによって代表字母の入力を感知し、後続コントロールが割り当てられた第２ボタンの選択を感知する段階と、
（ｂ）前記第２ボタンの選択により、前記代表字母に関連した所定の後続字母を認識する段階と、からなることを特徴とするキーパッドでの字母認識方法。
【請求項１０】  前記代表字母の入力は、前記第２ボタンの選択に先行することを特徴とする請求項９の（ａ）段階に記載のキーパッドでの字母認識方法。
【請求項１１】  前記第２ボタンの選択は、前記代表字母の入力に先行することを特徴とする請求項９の（ａ）段階に記載のキーパッドでの字母認識方法。
【請求項１２】  前記後続コントロールは、前記代表字母が割り当てられていないコントロールボタンに割り当てられることを特徴とする請求項９記載のキーパッドでの字母認識方法。
【請求項１３】  前記コントロールの選択は、前記コントロールボタンの１回押しまたは反復押しによることを特徴とする請求項９〜１２のいずれかに記載のキーパッドでの字母認識方法。
【請求項１４】  前記任意の言語は日本語であり、
日本語５０音度の各行の文字がそれぞれ同じグループに属し、１０つのグループにグループ化され、各行の文字のうちのあ段の文字（あ、か、さ、た、な、は、ま、や、ら、わ）が代表字母であり、各グループの残りの文字が後続字母であることを特徴とする請求項１３記載のキーパッドでの字母入力方法。
【請求項１５】  前記任意の言語は日本語であり、
小さく表記する文字（促音）、濁点が付く文字（濁音）、半濁点が付く文字（半濁音）が、対応する基本字母と一緒にグループ化され、前記促音、濁音、半濁音が後続字母であることを特徴とする請求項１１記載のキーパッドでの字母入力方法。
【請求項１６】  前記任意の言語は日本語であり、
日本語５０音度のや行の３文字（や、ゆ、よ）とわ行の２文字（わ、を）が一つのグループに属し、残りの各行の文字がそれぞれ同じグループに属して、９つのグループにグループ化されることを特徴とする請求項１１記載のキーパッドでの字母入力方法。
【請求項１７】  前記任意の言語はローマ字母を使用する言語であり、
添え字の付いた文字は後続字母であることを特徴とする請求項１１記載のキーパッドでの字母認識方法。
【請求項１８】  前記任意の言語はアラビア語であり、
数字“ｘ，ｘ０，ｘ００”を意味する文字（ここで“ｘ”は１〜９中の同じ数字）が同じグループにグループ化されることを特徴とする請求項１３記載のキーパッドでの字母入力方法。
【請求項１９】  前記任意の言語はタイ語であり、
タイ語の字音が２１個の音によってグループ化され、各グループにおいて、いずれか一つの子音が代表字母であり、残りの子音のうち全部または一部の字音が後続字母であることを特徴とする請求項１３記載のキーパッドでの字母入力方法。
【請求項２０】  前記任意の言語はタイ語であり、
タイ語の“母音または母音要素（以下、「母音要素」という）”は、模様の類似性によってグループ化され、各グループにおいて、いずれか一つの母音要素は代表字母であり、残りの母音要素のうち全部または一部が後続字母であることを特徴とする請求項１３記載のキーパッドでの字母入力方法。
【請求項２１】  多数のボタンを有するキーパッドでの日本語の字母（alphabet：アルファベット）の入力方法において、
日本語５０音度の各行の文字がそれぞれ同じグループに属し、１０つのグループにグループ化され、各行の文字のうちのあ段（あコラム）の文字（あ、か、さ、た、な、は、ま、や、ら、わ）がキーパッド上の１０個ボタンにそれぞれ配置され、
前記あ段の文字は、前記あ段の文字が配置されたボタン（第１ボタン）の１回押しで認識され、
い段の文字とう段の文字は、前記い段の文字またはう段の文字が属するグループのあ段の文字の入力と、前記あ段の文字が配置されていない任意のボタン（第２ボタン）の１回または２回の押しの組み合わせによってそれぞれ認識されることを特徴とするキーパッドでの字母入力方法。
【請求項２２】  多数のボタンを有するキーパッドでの日本語の字母(alphabet:アルファベット)の入力方法において、
日本語５０音度の各行の文字がそれぞれ同じグループに属し、１０つのグループにグループ化され、各行の文字のうちのあ段（あコラム）の文字（あ、か、さ、た、な、は、ま、や、ら、わ）がキーパッド上の１０個ボタンにそれぞれ配置され、
前記あ段の文字は、前記あ段の文字が配置されたボタン（第１ボタン）の１回押しで認識され、
え段の文字とお段の文字は、前記え段の文字またはお段の文字が属するグループのあ段の文字の入力と、前記あ段の文字が配置されていない任意のボタン（第２ボタン）の１回または２回の押しの組み合わせによってそれぞれ認識されることを特徴とするキーパッドでの字母入力方法。
【手続補正２】
【補正対象書類名】明細書
【補正対象項目名】０１６０
【補正方法】変更
【補正の内容】
【０１６０】
基準格子中心配置においては基準格子位置に使用頻度が比較的に多く該当ボタンに位置される字母グループを代表できる字母が位置するのが好ましく、あ段（あ、か、さ、．．．や、ら）の字母が比較的に使用頻度が多く各行を代表する字母と見なしても支障ないので、あ段の字母を基準格子の位置に配置することができる。
【手続補正３】
【補正対象書類名】明細書
【補正対象項目名】０１６１
【補正方法】変更
【補正の内容】
【０１６１】
方法１はボタン別字母のグルーピングにおいて、や行（や、ゆ、よ）、わ行（わ、を）には各々３個と２個の字母が存在し発音上でも類似しているので２個の行の字母をまとめて一つのボタンに配置したものである。
方法２は方法２の変形であって、［０］ボタンをコントロールボタンとして使用するためにんを暗示的に他のボタンに割り当てたものである。ここでは［９］ボタンに割り当てられたと仮定する。